(57)【要約】【課題】押ボタンスイッチの位置に束縛されることなく、操作ボタンの押操作部の位置を用途やデザインに応じて自由に設計する。【解決手段】カバー８は、８個の操作ボタン８３・・・を上下方向に並べて備えている。各操作ボタン８３は、取付部８３０と、取付部８３０の後面から突設されている駆動部と、取付部８３０の前面から突設されている押操作部８３２とを一体に備えている。駆動部は、カバー８をボディ６に嵌合したときに、回路基板７の押ボタンスイッチ７０の押ボタン７００を被せ、上記押ボタン７００に対して押駆動する。押操作部８３２は、押駆動方向（図１の左右方向）の押操作により駆動部を押ボタン７００に押駆動をさせるものであり、押駆動方向と直交する方向（図１の上下方向）において、駆動部に対して偏位している。【選択図】図１
2006302668.tif 000002
【特許請求の範囲】
【請求項１】
開口面を有する箱状に形成されるボディと、
それぞれが、押駆動がなされる押ボタンを設け、前記押駆動により外部素子の電気的な接続の開閉を切り替え、前記押ボタンへの押駆動方向が前記開口面と直交し前記ボディの外側から内側方向となるように前記ボディに収納される複数の押ボタンスイッチと、
前記ボディと嵌合して前記開口面を塞ぐカバーと
を備えるとともに、
それぞれが、前記押ボタンに対して押駆動する駆動部と、及び前記押駆動方向の押操作により前記駆動部を前記押ボタンに押駆動をさせ、前記押駆動方向と直交する方向において前記駆動部に対して偏位する押操作部とを設け、前記カバーに取り付けられる複数の操作ボタンを備える
ことを特徴とする操作スイッチ配線器具。
【請求項２】
前記操作ボタンのそれぞれが、一部を前記カバーと接合し、残部を前記押駆動方向に移動自在とし、前記駆動部及び前記押操作部を突設し、ゲートから直接、樹脂注入されて形成された取付部を設けることを特徴とする請求項１記載の操作スイッチ配線器具。
【請求項３】
前記操作ボタンが、前記駆動部及び前記押操作部の近傍において、前記ゲートから直接、樹脂注入されて前記駆動部及び前記押操作部と一体に形成された取付部を設けることを特徴とする請求項２記載の操作スイッチ配線器具。
【請求項４】
前記操作ボタンのそれぞれが、一部を前記カバーと接合し、残部を前記押駆動方向に移動自在とし、前記駆動部及び前記押操作部を突設し、前記カバーと段差を有する取付部を設けることを特徴とする請求項１記載の操作スイッチ配線器具。
【請求項５】
前記押ボタンスイッチを突設して前記ボディに収納される回路基板と、
前記ボディに設けられ、前記外部素子と電気的に接続する端子部と、
前記端子部と前記回路基板とを電気的に接続する金具と
を備えることを特徴とする請求項１〜４のいずれか記載の操作スイッチ配線器具。
【発明の詳細な説明】
【技術分野】
【０００１】
本発明は、例えば、負荷の遠隔監視制御を行う遠隔監視制御システムなどに用いられる操作スイッチ配線器具に関するものである。
【背景技術】
【０００２】
従来から、この種の遠隔監視制御システムは、特許文献１に開示されているように、２線式の信号線に、伝送ユニットと、操作スイッチの状態を監視する操作端末器と、リレー接点により負荷の電源を入切する制御端末器と、グループ制御やパターン制御などの一括制御で制御される制御端末器のアドレスを設定するアドレス設定器とを備える。上記従来の遠隔監視制御システムでは、操作端末器及び制御端末器に設定されている個別のアドレスを用いて、伝送ユニットが操作端末器及び制御端末器を個別に認識する。
【０００３】
ところが、上記従来の遠隔監視制御システムにおいて、操作端末器や制御端末器以外のシステム構成要素が増え、しかもアドレス設定器はアドレス設定時にしか使用されないため、通常の制御時には不要なシステム構成要素が増えてしまうという問題があった。
【０００４】
上記問題を解決するために、上記操作端末器及びアドレス設定器に代わって、操作スイッチ配線器具を備える遠隔監視制御システムが提供されている。図８（ａ）は、従来の操作スイッチ配線器具におけるカバー９０の正面図である。図８（ｂ）は、従来の操作スイッチ配線器具におけるカバー９０及び回路基板７の側面図である。上記従来の操作スイッチ配線器具は、図８（ａ）に示すように、８個の操作ボタン９１・・・をカバー９０に備えている。各操作ボタン９１は、図８（ｂ）に示すように、押ボタンスイッチ７０の押ボタン７００を押駆動する駆動部９２と、駆動部９２の真上に位置する押操作部９３とを備え、押操作部９３が押されると、その押された力が駆動部９２を介して押ボタンスイッチ７０の押ボタン７００に加わるようになっている。
【特許文献１】特開平６−１８９３８０号公報
【発明の開示】
【発明が解決しようとする課題】
【０００５】
しかしながら、上記従来の操作スイッチ配線器具は、押ボタンスイッチの位置が決まると、操作ボタンの押操作部の位置も決まってしまうので、設計の自由度が小さいという問題があった。
【０００６】
本発明は上記の点に鑑みて為されたものであり、その目的とするところは、押ボタンスイッチの位置に束縛されることなく、操作ボタンの押操作部の位置を用途やデザインに応じて自由に設計することができる操作スイッチ配線器具を提供することにある。
【課題を解決するための手段】
【０００７】
請求項１に記載の発明は、開口面を有する箱状に形成されるボディと、それぞれが、押駆動がなされる押ボタンを設け、前記押駆動により外部素子の電気的な接続の開閉を切り替え、前記押ボタンへの押駆動方向が前記開口面と直交し前記ボディの外側から内側方向となるように前記ボディに収納される複数の押ボタンスイッチと、前記ボディと嵌合して前記開口面を塞ぐカバーとを備えるとともに、それぞれが、前記押ボタンに対して押駆動する駆動部と、及び前記押駆動方向の押操作により前記駆動部を前記押ボタンに押駆動をさせ、前記押駆動方向と直交する方向において前記駆動部に対して偏位する押操作部とを設け、前記カバーに取り付けられる複数の操作ボタンを備えることを特徴とする。
【０００８】
この構成では、操作ボタンの押操作部を駆動部に対して偏位して設けることができるので、押ボタンスイッチの位置に束縛されることなく、操作ボタンの押操作部の位置を用途やデザインに応じて自由に設計することができる。
【０００９】
請求項２に記載の発明は、請求項１に記載の発明において、前記操作ボタンのそれぞれが、一部を前記カバーと接合し、残部を前記押駆動方向に移動自在とし、前記駆動部及び前記押操作部を突設し、ゲートから直接、樹脂注入されて形成された取付部を設けることを特徴とする。この構成では、操作ボタンのヒケやカスレ、変形を低減することができるので、安定に製造することができる。
【００１０】
請求項３に記載の発明は、請求項２に記載の発明において、前記操作ボタンが、前記駆動部及び前記押操作部の近傍において、前記ゲートから直接、樹脂注入されて前記駆動部及び前記押操作部と一体に形成された取付部を設けることを特徴とする。この構成では、操作ボタンのうち、特に駆動部及び押操作部のヒケやカスレ、変形を低減することができるので、より安定に製造することができる。
【００１１】
請求項４に記載の発明は、請求項１に記載の発明において、前記操作ボタンのそれぞれが、一部を前記カバーと接合し、残部を前記押駆動方向に移動自在とし、前記駆動部及び前記押操作部を突設し、前記カバーと段差を有する取付部を設けることを特徴とする。この構成では、取付部が他の部品に接触することを防止することができる。
【００１２】
請求項５に記載の発明は、請求項１〜４のいずれかに記載の発明において、前記押ボタンスイッチを突設して前記ボディに収納される回路基板と、前記ボディに設けられ、前記外部素子と電気的に接続する端子部と、前記端子部と前記回路基板とを電気的に接続する金具とを備えることを特徴とする。この構成では、容易に組み立てることができるとともに、断線を低減することができる。
【発明の効果】
【００１３】
本発明によれば、押ボタンスイッチの位置に束縛されることなく、操作ボタンの押操作部の位置を用途やデザインに応じて自由に設計することができる。
【発明を実施するための最良の形態】
【００１４】
本発明の実施形態について説明する。図１は、本実施形態の操作スイッチ配線器具の分解斜視図である。図２は、本実施形態の遠隔監視制御システムの構成を示すブロック図である。
【００１５】
先ず、本実施形態の基本的な構成について説明する。本実施形態の遠隔監視制御システムは、図２に示すように、リレー制御親機（以下、「親機」という。）１と、１０台のリレー制御子機（以下、「子機」という。）２・・・と、４８個の負荷３・・・と、操作スイッチ配線器具４とを備え、親機１、１０台の子機２・・・及び操作スイッチ配線器具４を信号線５で接続している。なお、上記各負荷３は、例えば照明負荷などである。また、信号線５はフル２線信号ラインである。
【００１６】
親機１は、本体ユニット１０と、８個のリレーブロック１１・・・とを備えている。８個のリレーブロック１１・・・は、それぞれリレー（図示せず）を備え、個別のアドレスが割り当てられている。具体的には、上記８個のリレーブロック１１・・・のアドレスは、１〜８に設定されている。上記親機１は、伝送信号を時分割多重伝送方式で信号線５に送出することにより、各々の子機２及び操作スイッチ配線器具４との間で情報を授受し、後述する操作スイッチ配線器具４の複数の押ボタンスイッチ７０・・・（図１参照）の動作に基づいて、各リレーの開閉を制御している。
【００１７】
各々の子機２は、本体ユニット２０と、４個のリレーブロック２１・・・と、ロータリスイッチ２２とを備えている。４個のリレーブロック２１・・・は、親機１のリレーブロック１１と同様に、それぞれリレー（図示せず）を備え、個別のアドレスが割り当てられている。各々の子機２において、上記４個のリレーブロック２１・・・のアドレスは、ロータリスイッチ２２を用いて設定される。具体的には、４個のリレーブロック２１・・・のアドレスは、連続した番号に設定されている。そして、ｎ（１から１０までの整数）をロータリスイッチ２２の回転位置に応じて決まる値とすると、ロータリスイッチ２２の回転位置によって先頭アドレスが（４×ｎ＋５）に決定される。上記より、各々の子機２において、４個のリレーブロック２１・・・のアドレスは、９〜１２、１３〜１６、１７〜２０、・・・、４５〜４８の何れかの組み合わせに設定されることになる。上記各々の子機２は、親機１と同様に、後述する操作スイッチ配線器具４の複数の押ボタンスイッチ７０・・・（図１参照）の動作に基づいて、各リレーの開閉を制御している。
【００１８】
操作スイッチ配線器具４は、図１に示すように、ボディ６と、回路基板７と、カバー８と、化粧カバー４０と、表銘板４１とを備えている。
【００１９】
ボディ６は、例えば合成樹脂などにより、前面（図１の左面）に開口面６ａを有する箱状に形成されているものである。上記ボディ６は、長手方向（図１の上下方向）に沿う両側面に、それぞれ一対の係止突起６０，６０を上下に離間して突設している。また、ボディ６は、上下両側面の前縁から取付片６１，６１を上下両側に延出している。各取付片６１は、施工面に埋設された埋込ボックス（図示せず）にねじ止めするためのボックスねじ（図示せず）を挿通する長孔６２と、壁材などにボディ６を直に取り付けるための取付ねじ（図示せず）を挿通する一対のねじ挿通孔６３，６３と、前面に化粧カバー４０を露出させる窓孔を有するプレート枠（図示せず）を取り付けるためのプレートねじ用のねじ孔６４とを設けている。
【００２０】
また、ボディ６は、信号線５（図２参照）を介して親機１又は子機２（図２参照）のリレー（図示せず）と電気的に接続する一対の端子部６５，６５と、上記一対の端子部６５，６５と回路基板７とを電気的に接続する一対の金具６６，６６とを備えている。各金具６６は、図６に示すように、中央に貫通孔６６０ａを有している底部６６０と、底部６６０の一端から延設している延設部６６１とを一体に備えている。上記各金具６６は、端子部６５（図１参照）を貫通孔６６０ａに係合することにより、端子部６５と電気的に接続する。
【００２１】
回路基板７は、図１に示すように、８個の押ボタンスイッチ７０・・・と、ロータリスイッチ７１と、８個の発光ダイオード７２・・・とがプリント配線板７３に実装されているものであり、ボディ６に収納される。このとき、回路基板７は、図７に示すように、一対の金具６６，６６の延設部６６１，６６１がプリント配線板７３に取り付けられることにより、ボディ６の一対の端子部６５，６５（図１参照）と電気的に接続する。各押ボタンスイッチ７０は、図１に示すように、押駆動がなされる押ボタン７００を設け、親機１又は子機２（図２参照）のリレー（図示せず）のアドレスに対応付けたアドレスが個別に割り当てられ、押駆動により上記リレーの電気的な接続の開閉を切り替えるものである。上記回路基板７において、８個の押ボタンスイッチ７０・・・は、ボディ６に収納されたときに、それぞれの押ボタン７００への押駆動方向がボディ６の開口面６ａと直交し、上記ボディ６の外側から内側方向（図１の左から右方向）となるように、プリント配線板７３の右端に上下方向に並んで突設されている。また、８個の発光ダイオード７２・・・は、矩形状であり、それぞれ押ボタンスイッチ７０と対応するようにしてプリント配線板７３の左端に上下方向に並んで配置されている。ロータリスイッチ７１は、プリント配線板７３の中央部に配置されている。
【００２２】
カバー８は、例えば合成樹脂などにより、ボディ６の前面のうち取付片６１，６１の端部を除く部分を覆うことが可能な寸法に形成されている底部８ａと、底部８ａの長手方向（図１の上下方向）に沿う両側辺のそれぞれ後縁から後方（図１の右側）に延設されている一対の組立舌片８０，８０とを一体に備えている。上記カバー８は、各々の組立舌片８０に係止孔８０ａを有し、上記係止孔８０ａにボディ６の係止突起６０が係合することによってボディ６と嵌合して開口面６ａを塞ぐものである。上記係止突起６０と組立舌片８０とを係合させる際に、係止突起６０の端面に設けられているテーパ６０ａと組立舌片８０の弾性とで容易に係合できるようになっている。また、カバー８は、ボディ６の長孔６２，６２に対応する部位に、Ｕ字状に切り欠いた切欠８１，８１を形成している。
【００２３】
さらに、カバー８は、図３（ａ）に示すように、８個の操作ボタン８３・・・を上下方向に並べて備えている。各操作ボタン８３は、一部（図３（ａ）の左側）をカバー８の前面（図３（ａ）の手前の面）と段差（図５参照）を有して接合している取付部８３０と、図３（ｂ）に示すように、取付部８３０の後面（図３（ｂ）の右面）から突設されている駆動部８３１と、取付部８３０の前面（図３（ｂ）の左面）から突設されている押操作部８３２とを一体に備えている。
【００２４】
取付部８３０は、図３（ａ）に示すように、駆動部８３１（図３（ｂ）参照）及び押操作部８３２の近傍の凹部８３０ａにおいて、ゲート（図示せず）から直接、樹脂注入され、強度を高めるために予め決められた値以上の厚みを有するように形成され、押駆動方向（図３（ａ）の手前から奥方向）に移動自在となっている。上記より、操作ボタン８３のヒケやカスレ、変形を低減することができるので、安定に製造することができる。また、取付部８３０は段差を有しているので、化粧カバー４０に接触することなく移動させることができる。
【００２５】
駆動部８３１は、図４に示すように、有底筒状に形成されているものであり、カバー８をボディ６（図１参照）に嵌合したときに、ボディ６に収納される回路基板７の押ボタンスイッチ７０の押ボタン７００（図１参照）を被せ、上記押ボタン７００に対して押駆動する。
【００２６】
押操作部８３２は、図３（ａ）に示すように、円筒状に形成されているものであり、押駆動方向（図３（ａ）の手前から奥方向）の押操作により駆動部８３１（図３（ｂ）参照）を押ボタンスイッチ７０の押ボタン７００（図１参照）に押駆動をさせるものである。上記押操作部８３２は、図３（ｂ）に示すように、押駆動方向と直交する方向（図３（ｂ）の上下方向）において、駆動部８３１に対して偏位している。具体的には、８個の押操作部８３２・・・のうち、カバー８の中央付近にある押操作部８３２の偏位量は小さく、逆に、上下両端側にある押操作部８３２ほど、上記偏位量は大きくなっている。上記より、カバー８の上下方向において、押操作部８３２の間隔を駆動部８３１の間隔より広げることができる。すなわち、８個の押ボタンスイッチ７０・・・の各押ボタン７００（図１参照）の間隔より広げることができる。これにより、各押操作部８３２を操作しやすくなる。
【００２７】
また、カバー８は、図３（ａ）に示すように、８個の矩形状の透孔８２・・・を貫設している。各透孔８２は、カバー８をボディ６（図１参照）に嵌合したときに、ボディ６に収納される回路基板７の発光ダイオード７２（図１参照）を挿通させるものである。さらに、カバー８は、角形に凹んだ凹部８４を中央部に設け、上記凹部８４の底には挿通孔８４ａを貫設している。挿通孔８４ａは、カバー８をボディ６に嵌合したときに、ボディ６に収納される回路基板７のロータリスイッチ７１の操作子７１０（図１参照）を挿通させるものである。また、図１に示すように、凹部８４の底面には銘板８５が貼り付けられ、銘板８５の中央の孔を通して、回路基板７のロータリスイッチ７１の操作子７１０が前方に突出する。上記銘板８５には、操作子７１０の操作位置を示す目盛や、各目盛に切り替えたときに設定されるアドレスを示す数字（例えば「１〜８」、「９〜１６」など）などが表示されている。
【００２８】
化粧カバー４０は、長手方向（図１の上下方向）及び短手方向（図１の左右方向）の寸法がカバー８と略同一の寸法で矩形板状に形成されているものであり、後面の左右両縁側には各一対の組立爪片（図示せず）を突設している。上記化粧カバー４０は、各組立爪片をカバー８の取付孔８６内に挿入し、各組立爪片の先端の爪を取付孔８６の孔縁に係合させることによって、カバー８に着脱自在に取り付けられる。なお、化粧カバー４０は、後面の下側縁に、外し溝（図示せず）を有している。化粧カバー４０をカバー８から取り外す際には、上記外し溝内にマイナスドライバーのような工具の先端を挿入して工具をこじることで、組立爪片の爪と取付孔８６との係合が外れるので、化粧カバー４０をカバー８から容易に取り外すことができる。
【００２９】
上記のような化粧カバー４０は、カバー８の押操作部８３２・・・に対向する部位に各押操作部８３２をそれぞれ挿通させる８個の丸孔４００・・・と、発光ダイオード７２・・・に対向する部位に各発光ダイオード７２の発光面をそれぞれ露出させる８個の透孔４０１・・・とを貫設している。また、化粧カバー４０は、左右方向の中央部に、ネームカード（図示せず）が納装されるカード収納凹所４０２を設けている。そして、化粧カバー４０の前面には、カード収納凹所４０２内にネームカードを収納した状態で可撓性を有する樹脂製の表銘板４１が貼り付けられる。
【００３０】
表銘板４１は、メンブレンシートなど、化粧カバー４０の前面と長手方向（図１の上下方向）及び短手方向（図１の左右方向）の寸法が略同一の薄板であり、前面に８個の押操作部４１ａ・・・を備えている。また、表銘板４１は、少なくとも化粧カバー４０の透孔４０１に対応する部位と、ネームカード（図示せず）に対応する部位とに、それぞれ透明部位からなる透光部４１ｂ・・・，４１ｃ・・・を設けている。上記より、各透光部４１ｂ，４１ｃを通して各々の発光ダイオード７２の光やネームカードの表示が外部より視認可能となる。
【００３１】
次に、本実施形態の操作スイッチ配線器具４の組立方法について図１を用いて説明する。先ず、８個の押ボタンスイッチ７０・・・、ロータリスイッチ７１及び８個の発光ダイオード７２・・・が実装された回路基板７をボディ６に収納する。続いて、ボディ６の開口面６ａにカバー８を被せて組立舌片８０の係止孔８０ａに係止突起６０を係合させて、ボディ６とカバー８とを結合する。このとき、回路基板７に実装された各押ボタンスイッチ７０の押ボタン７００にはカバー８に前後動自在に取着された駆動部８３１（図３（ｂ）参照）が被せられ、発光ダイオード７２・・・及びロータリスイッチ７１の操作子７１０はカバー８の透孔８２・・・及び挿通孔８４ａを通して前方に突出する。最後に、カード収納凹所４０２内にネームカード（図示せず）を収納した状態で、前面に表銘板４１が取り付けられた化粧カバー４０をカバー８の前面に被せて、化粧カバー４０の組立爪片（図示せず）をカバー８の取付孔８６に引掛係止させることで、化粧カバー４０をカバー８の前面に取り付ける。このとき、表銘板４１の押操作部４１ａを押すと、押操作部４１ａが凹むので表銘板４１を介して押操作部８３２を押操作することができる。
【００３２】
ここで、本実施形態の遠隔監視制御システムの動作について図２を用いて説明する。操作スイッチ配線器具４では、各押ボタンスイッチ７０（図１参照）のアドレスを親機１又は子機２のリレーブロック１１，２１のアドレスに対応付けて設定することによって、各押ボタンスイッチ７０の操作に応じて８個のリレーブロック１１，２１の開閉を制御することができる。本実施形態の遠隔監視制御システムでは、４８個のリレーブロック１１，２１を８個ずつ６つのグループに分けて、１台の操作スイッチ配線器具４で１グループ分のリレーブロック１１，２１の操作を行う。最初に、４８個のリレーブロック１１，２１に対して１から４８までのアドレスの割り当てを行い、続いて、例えばアドレス番号が１〜８、９〜１６、１７〜２４、２５〜３２、３３〜４０、４１〜４８のリレーブロック１１，２１をそれぞれ１つのグループにグループ分けをすることによって、アドレス番号に応じて６つのグループにグループ分けを行う。さらに、操作スイッチ配線器具４の８個の押ボタンスイッチ７０・・・に対して連続したアドレスを昇順に割り当てる。最後に、ロータリスイッチ７１の操作子７１０（図１参照）の回転位置に応じて先頭アドレスを１、９、１７、２５、３３、４１の６通りに切り替え、８個の押ボタンスイッチ７０・・・のアドレスの組み合わせを１〜８、９〜１６、・・・、４１〜４８の何れかに切替設定する。
【００３３】
続いて、表銘板４１の押操作部４１ａ（図１参照）を押操作すると、表銘板４１及び操作ボタン８３（図１参照）を介して押ボタンスイッチ７０（図１参照）が、監視データを付加した伝送信号を親機１に返送する。親機１は、受信した伝送信号に含まれるアドレスが親機１のリレーブロック１１のアドレスと一致していれば、アドレスが一致したリレーブロック１１の開閉を制御し、一致していなければ、各々の子機２に制御信号を送信し、各々の子機２が、対応するアドレスのリレーブロック２１の開閉を制御する。その後、親機１から操作スイッチ配線器具４に、対応するリレーブロック１１，２１の制御状態が返送され、押操作された押ボタンスイッチ７０に対応する発光ダイオード７２（図１参照）を点灯又は消灯させて、リレーブロック１１，２１の開閉状態（すなわち負荷３のオン／オフ状態）を表示する。
【００３４】
以上、本実施形態によれば、図３（ｂ）に示すように、操作ボタン８３の押操作部８３２を駆動部８３１に対して偏位して設けることができるので、押ボタンスイッチ７０（図１参照）の位置に束縛されることなく、操作ボタン８３の押操作部８３２の位置を用途やデザインに応じて自由に設計することができる。また、操作ボタン８３のヒケやカスレ、変形を低減することができるので、安定に製造することができる。さらに、ボディ６の端子部６５，６５と回路基板７とを金具６６で接続するので、容易に組み立てることができるとともに、断線を低減することができる。
【図面の簡単な説明】
【００３５】
【図１】本発明による実施形態の操作スイッチ配線器具の分解斜視図である。
【図２】同上の遠隔監視制御システムの構成を示すブロック図である。
【図３】同上のカバーであって、（ａ）は正面図、（ｂ）は（ａ）のＡ１−Ａ２の断面図である。
【図４】同上のカバーの断面図である。
【図５】同上のカバーの斜視図である。
【図６】同上の金具の斜視図である。
【図７】同上の操作スイッチ配線器具の要部拡大図である。
【図８】従来の操作スイッチ配線器具におけるカバーであって、（ａ）は正面図、（ｂ）は側面図である。
【符号の説明】
【００３６】
６  ボディ
７  回路基板
７０  押ボタンスイッチ
７００  押ボタン
８  カバー
８３  操作ボタン
８３０  取付部
８３２  押操作部
【図１】
2006302668.tif 000003
【図２】
2006302668.tif 000004
【図３】
2006302668.tif 000005
【図４】
2006302668.tif 000006
【図５】
2006302668.tif 000007
【図６】
2006302668.tif 000008
【図７】
2006302668.tif 000009
【図８】
2006302668.tif 000010